(57)【要約】【課題】部品点数が少なく、製造も容易で、確実にワイヤへ張力が付与できるウインドレギュレータを提供する。【解決手段】ガイドレールの端部には、張力付与方向側に第１保持部と、張力弛緩方向側に第２保持部とを所定間隔を開けて互いに隣接するように具備し、第１ワイヤガイドと第２ワイヤガイドとの少なくとも一方が、張力付与方向および張力弛緩方向にガイドレールと相対移動可能に嵌合されるガイドレール嵌合部と、張力弛緩方向に延びる延設部と、延設部に設けられたフックとを具備することによって、ガイドレール嵌合部をガイドレールに沿って張力弛緩方向へ移動させたときに、フックが第１保持部を越えて第２保持部に達し、その後張力付与方向へ移動させたときに、フックが第１保持部と第２保持部との間に嵌合され、張力弛緩方向への移動が規制されることを特徴とするウインドレギュレータ。【選択図】図１
2012092574.tif 000002
【特許請求の範囲】
【請求項１】
窓ガラスが連結されるキャリアプレートと、
該キャリアプレートの昇降を案内するガイドレールと、
ワイヤを介して前記キャリアプレートを昇降駆動する駆動部と、
前記ガイドレールの一端に設けられた第１ワイヤガイドと、前記ガイドレールの他端に設けられた第２ワイヤガイドとを具備し、
前記第１ワイヤガイドと前記第２ワイヤガイドとに前記ワイヤを掛け回して、前記第１ワイヤガイドと前記第２ワイヤガイドとが離反するように移動させることによって前記ワイヤに張力を付与するウインドレギュレータにおいて、
前記ガイドレールの端部には、張力付与方向側に第１保持部と、
張力弛緩方向側に第２保持部とを所定間隔を開けて互いに隣接するように具備し、
前記第１ワイヤガイドと前記第２ワイヤガイドとの少なくとも一方が、張力付与方向および張力弛緩方向に前記ガイドレールと相対移動可能に嵌合されるガイドレール嵌合部と、
張力弛緩方向に延びる延設部と、
該延設部に設けられたフックと
を具備することによって、
前記ガイドレール嵌合部を前記ガイドレールに沿って張力弛緩方向へ移動させたときに、前記フックが前記第１保持部を越えて前記第２保持部に達し、その後張力付与方向へ移動させたときに、前記フックが前記第１保持部と前記第２保持部との間に嵌合され、張力弛緩方向への移動が規制されることを特徴とするウインドレギュレータ。
【請求項２】
前記第１保持部は、前記ガイドレール嵌合部を前記ガイドレールに沿って張力弛緩方向へ移動させたときに前記延設部を弾性変形するように押動する押動部を有し、
前記第２保持部は、前記延設部の弾性変形を維持するように前記フックを支持する支持面を有しており、前記ガイドレール嵌合部を前記ガイドレールに沿って張力付与方向へ移動させたとき、前記支持面による前記フックの支持が解除されることを特徴とする請求項１記載のウインドレギュレータ。
【請求項３】
前記第１保持部および前記第２保持部が前記フックを嵌合しているときに、前記第１保持部および前記第２保持部と前記フックとの対向する面が、互いに平行な平面であることを特徴とする請求項１または２記載のウインドレギュレータ。
【請求項４】
前記押動部は、前記第２保持部側に近づくに従って前記延設部の弾性変形量を増やすように形成され、
前記支持面は、前記フック部が前記押動部の前記第２保持部側端部にあるときの前記延設部の弾性変形量よりも、前記フック部が前記支持面に支持されているときの前記延設部の弾性変形量が小さくなるように形成されていることを特徴とする請求項２記載のウインドレギュレータ。
【発明の詳細な説明】
【技術分野】
【０００１】
本発明は、ワイヤへ張力を付与することができるウインドレギュレータに関する。
【背景技術】
【０００２】
ウインドレギュレータとは、車両用ドアに設けられる窓ガラスを上下させるためのものであり、ワイヤ式のものが多く用いられている。このワイヤ式のウインドレギュレータ（以下、単に「ウインドレギュレータ」と記す。）は、一般に、閉ループを構成する複数のワイヤと、該各ワイヤの一端と前記窓ガラスを支持するガラスホルダーとが連結されるキャリアプレートと、該キャリアプレートを上下方向に移動可能にガイドするガイドレールと、前記ワイヤの他端側を巻き取り、また送り出すドラムを駆動することにより、キャリアプレートと共に窓ガラスを上下に移動させる駆動部とを備える。
【０００３】
このようなウインドレギュレータにおいては、ドラムにワイヤが巻き取られ、また送り出されることにより、窓ガラスが上下に移動できるよう、常にワイヤに張力が付与されている状態としておく必要がある。
【０００４】
このようなことを鑑みてか、特許文献１には、ガイドレールの端部に設けられるワイヤをガイドするワイヤガイドを、ワイヤへ張力を付与する方向およびワイヤの張力を弛緩する方向にスライド可能に構成したウインドレギュレータが開示されている。このウインドレギュレータでは、ワイヤガイドをワイヤの張力を弛緩する方向にスライドさせた状態で当該ワイヤガイドにワイヤを掛け回し、その後、ワイヤガイドをインサート部によりワイヤへ張力を付与する方向に押し出してスライドさせることにより、ワイヤに張力を付与する。
【０００５】
また、特許文献２には、前記特許文献１同様に、ワイヤガイドをスライド可能に構成したウインドレギュレータが開示されている。このウインドレギュレータでは、ワイヤガイドをワイヤの張力を弛緩する方向にスライドさせた状態で、当該ワイヤガイドにワイヤを掛け回し、その後、ワイヤガイドをそれに設けたロックレバーとリンクとによるトグル機構によりワイヤに張力を付与する方向へスライドさせることにより、ワイヤに張力を付与する。
【０００６】
前記特許文献１および２に開示されるウインドレギュレータは、何れも、ワイヤガイドをスライドさせることでワイヤに張力を付与できる点で、ワイヤへの張力付与作業を簡便に行うことができるとされている。
【先行技術文献】
【特許文献】
【０００７】
【特許文献１】特開２００７−２１８０４４号公報
【特許文献２】特開２００７−２１８０４５号公報
【発明の概要】
【発明が解決しようとする課題】
【０００８】
しかしながら、特許文献１および２に開示されるウインドレギュレータには、ワイヤガイドをスライドさせるためのインサート部が必要であったり、トグル機構を設ける必要があったりすることにより、部品点数が多くなるという問題がある。また、特許文献１に開示されるウインドレギュレータでは、ワイヤガイドを前記インサート部によりスライドさせる際に、当該インサート部の取り付けを、ボルトを締め込むことにより行う必要がある。そのため、このウインドレギュレータには、ワイヤへの張力付与作業が複雑であるという問題もある。
【０００９】
本発明は、以上のような問題点に鑑みてなされたものであり、部品点数が少なく、製造も容易で、確実にワイヤへ張力が付与できるウインドレギュレータを提供することを目的とする。
【課題を解決するための手段】
【００１０】
上記目的を達成するために、窓ガラスが連結されるキャリアプレートと、該キャリアプレートの昇降を案内するガイドレールと、ワイヤを介して前記キャリアプレートを昇降駆動する駆動部と、前記ガイドレールの一端に設けられた第１ワイヤガイドと、前記ガイドレールの他端に設けられた第２ワイヤガイドとを具備し、前記第１ワイヤガイドと前記第２ワイヤガイドとに前記ワイヤを掛け回して、前記第１ワイヤガイドと前記第２ワイヤガイドとが離反するように移動させることによって前記ワイヤに張力を付与するウインドレギュレータにおいて、前記ガイドレールの端部には、張力付与方向側に第１保持部と、張力弛緩方向側に第２保持部とを所定間隔を開けて互いに隣接するように具備し、前記第１ワイヤガイドと前記第２ワイヤガイドとの少なくとも一方が、張力付与方向および張力弛緩方向に前記ガイドレールと相対移動可能に嵌合されるガイドレール嵌合部と、張力弛緩方向に延びる延設部と、該延設部に設けられたフックとを具備することによって、前記ガイドレール嵌合部を前記ガイドレールに沿って張力弛緩方向へ移動させたときに、前記フックが前記第１保持部を越えて前記第２保持部に達し、その後張力付与方向へ移動させたときに、前記フックが前記第１保持部と前記第２保持部との間に嵌合され、張力弛緩方向への移動が規制されることを特徴としている。
【発明の効果】
【００１１】
（１）本発明のウインドレギュレータでは、第１ワイヤガイドと第２ワイヤガイドとの少なくとも一方が具備しているガイドレール嵌合部をガイドレールに沿って、ワイヤの張力弛緩方向に移動させることで、フックが第１保持部を越えて第２保持部に達するのでワイヤを弛緩できる状態とすることができ、この状態でワイヤの掛け回しを行うことができる。また、その後は、前記ガイドレール嵌合部をガイドレールに沿って、ワイヤの張力付与方向に相対移動させることで、フックが第１保持部と第２保持部との間に嵌合されて、張力弛緩方向への移動が規制され、ワイヤに張力が付与された状態を維持できる。以上に基づき、本ウインドレギュレータは、部品点数を増やすことなく、簡単な作業で、ワイヤへの張力付与およびその維持を行うことができる。
【００１２】
（２）本発明のウインドレギュレータでは、第１保持部に設けられた押動部が、第１ワイヤガイドと第２ワイヤガイドとの少なくとも一方をワイヤの張力弛緩方向へガイドレールに対し相対移動させたときに、その延設部を弾性変形するように押動し、その弾性変形した状態は第２保持部に設けられた支持面によりフックが支持されることで維持され、仮保持状態とすることができる。従って、本ウインドレギュレータは、延設部が押動部上をスライドさせるだけで容易に弾性変形でき、それによりフックが第１保持部と第２保持部との間に嵌合されることなく、第１ワイヤガイドと第２ワイヤガイドとの少なくとも一方をワイヤの張力弛緩方向に移動させることができる。そして、支持面によるフックの支持は、第１ワイヤガイドと第２ワイヤガイドとの少なくとも一方をワイヤの張力付与方向に移動させたときに解除される。従って、本ウインドレギュレータは、支持面にフックが支持された状態から、当該第１ワイヤガイドおよび第２ワイヤガイドをワイヤの張力付与方向にガイドレールに対し相対移動させた際に、フックを第１保持部と第２保持部との間に確実に嵌合させることができる。
【００１３】
（３）本発明のウインドレギュレータは、第１保持部および第２保持部がフックを嵌合している状態において、第１保持部および第２保持部とフックとの対向した面が、互いに平行な平面であるので、前記嵌合している状態を確実に維持することができる。
【００１４】
（４）本発明のウインドレギュレータは、押動部が、延設部の弾性変形量を第２保持部側に近づくに従って増すように形成されている。また、支持面は、フックが押動部の第２保持部側端部にあるときより、延設部の弾性変形量が小さくなるように当該フックを支持する。以上に基づき、本ウインドレギュレータは、ガイドレール嵌合部を具備した第１ワイヤガイドおよび第２ワイヤガイドをワイヤの張力付与方向へ移動させる際に、確実にフックを保持部に誘導できる。
【図面の簡単な説明】
【００１５】
【図１】本発明のウインドレギュレータの正面図。
【図２】（ａ）ガイドレールの下端部拡大正面図、（ｂ）同下端部拡大左側面図、（ｃ）同下端部拡大底面図。
【図３】（ａ）ワイヤガイドの拡大正面図、（ｂ）同拡大平面図、（ｃ）同拡大底面図、（ｄ）同拡大左側面図。
【図４】ガイドレールへのワイヤガイドの取り付け方法を説明する拡大斜視図。
【図５】ガイドレールへワイヤガイドを取り付けた状態を示す拡大断面図。
【発明を実施するための形態】
【００１６】
以下、図面を参照しつつ、本発明の実施の形態の説明をする。本発明のウインドレギュレータ１は、図１に示すように、図外の窓ガラスが固定されるキャリアプレート２と、該キャリアプレート２に両側を挟まれて、その移動をガイドするガイドレール３と、該ガイドレール３の上端に設けられるワイヤガイド４と、前記ガイドレール３の下端に設けられるワイヤガイド５と、ガイドレール３の長手方向略中央に取り付けられる駆動部６と、ワイヤガイド４に掛け回されて一端がキャリアプレート２に、他端が駆動部６内の図外のドラムに夫々接続された上昇用ワイヤ７と、ワイヤガイド５に掛け回されて一端がキャリアプレート２に、他端が前記図外のドラムに夫々接続された下降用ワイヤ８とを備えている。
【００１７】
本ウインドレギュレータ１は、図外の車両用ドアのインナパネルに固定されて使用されるものであり、駆動部６が備えるモータ９を動作させることで前記図外のドラムを回転駆動して、上昇用ワイヤ７をドラムに巻き取り、下降用ワイヤ８をドラムより一端側へ送り出すことでキャリアプレート２に固定された前記図外の窓ガラスを上昇させ、また、上昇用ワイヤ７をドラムより一端側へ送り出し、下降用ワイヤ８をドラムに巻き取ることでキャリアプレート２に固定された窓ガラスを下降させるものである。
【００１８】
本ウインドレギュレータ１は、前記ガイドレール３および前記ワイヤガイド５の構成に特徴があり、それ以外の構成については公知のものを採用することが可能である。従って、以下では、ガイドレール３およびワイヤガイド５の構成を中心に説明する。
【００１９】
なお、以下では、図１、図２（ａ）、（ｂ）および図３（ａ）、（ｄ）の図面上下方向を長手方向とする。また、図１、図２（ａ）、（ｃ）、図３（ａ）、（ｂ）、（ｃ）の図面左右方向を幅方向とする。更に、図２（ｂ）、図３（ｄ）の図面左方向、図２（ｃ）、図３（ｃ）の図面上方向および図３（ｂ）の図面下方向を表面方向、それらと逆方向を裏面方向とする。
【００２０】
前記ガイドレール３は、図１、２に示すように、所定の長さを有する略長方形上の亜鉛メッキ鋼板等の金属薄板を所定形状に形成したものである。このガイドレール３は、図２（ｃ）によく表れているように、幅方向の一端に表面方向に略直角に折り曲げられた剛性を高めるための折曲部１０を備えている。また、ガイドレール３は、強度補強をするために、幅方向の他端より所定長内側に２重に折り曲げられて、裏面方向に突出する２重折曲部１１も備えている。
【００２１】
また、ガイドレール３の長手方向の上端には、図１に示すように、プーリ等により構成される前記ワイヤガイド４が回転可能に取り付けられている。更に、ガイドレール３には、ワイヤガイド４より長手方向の所定距離下方の位置に、前記図外のインナパネルへ、ウインドレギュレータ１を取り付ける際に使用されるブラケット１２が取り付けられている。
【００２２】
また、ガイドレール３の長手方向の下端には、図２（ａ）に示すように、その下方に突出してワイヤガイド挿通部１３が形成されている。また、前記ワイヤガイド挿通部１３より長手方向に所定距離上方には、表面方向に突出した第１保持部１４と第２保持部１５とが、突出先端が相向い合う方向に形成されている。
【００２３】
前記ワイヤガイド挿通部１３は、図３（ｂ）に示すワイヤガイド５に設けられるガイドレール収容部１６に収容されるものである。このワイヤガイド挿通部１３は、図２（ａ）に示すように、前記２重折曲部１１側に設けられる矩形に形成された第１挿通部１３ａと、長手方向に延びて下方に開口して形成された切欠である切欠部１７を挟んで設けられている前記第１挿通部１３ａと比べて幅方向に広く、長手方向に短い第２挿通部１３ｂとにより構成されている。
【００２４】
前記第１保持部１４は、図２（ａ）、（ｂ）によく表れているように、前記第２挿通部１３ｂに対し長手方向に所定距離上方に形成されている。この第１保持部１４は、長手方向下方側から立ち上がり、ガイドレール３の表面方向に突出した傾斜平面である押動部１４ａと、該押動部１４ａの長手方向先端から、ガイドレール３と平行に長手方向上方へと延びる平板である平板部１４ｂとにより構成される。
【００２５】
前記第２保持部１５は、前記第１保持部１４に対し所定距離だけ長手方向上方に形成されて、幅方向に当該第１保持部１４と同じ幅を有している。この第２保持部１５は、長手方向上方側より立ち上がり、ガイドレール３の表面方向に突出した傾斜平面である傾斜部１５ａと、該傾斜部１５ａの長手方向先端から、ガイドレール３と平行に長手方向下方へと延びる平面である支持面１５ｂとにより構成されている。なお、前記支持面１５ｂの先端は、前記第１保持部の平板部１４ｂの先端と所定距離Ａだけ離間して隣接するように配置されている。また、支持面１５ｂは、ガイドレール３の表面からの突出量が、第１保持部１４の平板部１４ｂのガイドレール３の表面からの突出量より小さく構成されており、それらの突出量の差は段差Ｂを有している。
【００２６】
前記ワイヤガイド５は、硬質かつ弾性変形可能な樹脂等の材料により構成されており、図３に示すように、幅方向右側が矩形であり、幅方向左側の下方が円弧形状である本体部５ａと、該本体部５ａの表面側より長手方向上方に突出して形成される延設部５ｂとを有している。
【００２７】
前記本体部５ａには、図３（ｂ）に表れているように、長手方向上端面に、図２（ａ）に示すガイドレール３の切欠部１７に嵌合されるガイドレール嵌合部１８を介して開口した、前記第１挿通部１３ａを収容する第１収容部１６ａと、前記第２挿通部１３ｂを収容する第２収容部１６ｂとにより構成されるガイドレール収容部１６が形成されている。また、本体部５ａの長手方向下端面には、図３（ｄ）に表れているように、上昇用ワイヤ７を収容するワイヤ溝１９が形成されている。
【００２８】
前記第１収容部１６ａは裏面方向および前記第２収容部１６ｂと反対側の幅方向に開放して構成されるが、前記第２収容部１６ｂは前記第２挿通部１３ｂの断面形状より僅かに大きく開口して構成される。従って、第１収容部１６ａおよび第２収容部１６ｂは、第１挿通部１３ａおよび第２挿通部１３ｂを収容可能である。また、当該収容時において、ワイヤガイド５はガイドレール３に対し、長手方向へ移動可能であるが、幅方向、表面方向および裏面方向への移動が規制される。
【００２９】
また、第１収容部１６ａは長手方向の下端が開放して構成されており、第２収容部１６ｂは、その長手方向に沿った深さが第２挿通部１３ｂの長手方向に沿った長さに対し同等以上とされている。これにより、ワイヤガイド５は、第１収容部１６ａおよび第２収容部１６ｂ夫々に、第１挿通部１３ａおよび第２挿通部１３ｂが挿入された状態で、ガイドレール３の切欠部１７内に嵌合されたそのガイドレール嵌合部１８が、当該切欠部１７の長手方向上端に当接するまでの範囲で、ガイドレール３に対し長手方向に相対移動することができる。
【００３０】
前記延設部５ｂは、図４（ａ）、（ｂ）に示すように、ガイドレール３にワイヤガイド５を取り付ける際に弾性変形する部分である。この延設部５ｂの長手方向の先端には、図３（ｄ）に表れるようにフック２０が設けられている。
【００３１】
前記フック２０は、図３（ｄ）に示すように、鉤型を有しており、前記延設部５ｂの長手方向先端から裏面方向に延びる平板である平板部２０ａと、該平板部２０ａの裏面方向先端から長手方向下方へ延びる平板である鍔部２０ｂとにより構成される。
【００３２】
前記平板部２０ａの厚みｔは、図２（ｂ）に示す第１保持部１４と第２保持部１５の先端間の所定距離Ａより薄く構成されている（ｔ＜A）。また、平板部２０ａの長さCは、第１保持部１４の平板部１４ｂと第２保持部１５の支持面１５ｂとのガイドレール３の表面からの突出量の差である段差Ｂより長く形成されている（C＞B）。
【００３３】
前記鍔部２０ｂの長さDは、図２（ｂ）に示す第１保持部１４と第２保持部１５の先端間の所定距離Ａより長く構成されている（D＞A）。また、鍔部２０ｂと延設部５ｂとの間に形成される隙間Ｅは、第１保持部１４の平板部１４ｂの厚みである厚みｔ２より十分に広く構成されている（Ｅ＞＞ｔ２）。
【００３４】
以上のように構成されるガイドレール３とワイヤガイド５とを組み付けて、下降用ワイヤ８に張力を付与する方法について図４、５に基づき説明する。なお、図４、５において、図面上方向は図１〜３における表面方向に対応する。同様に、図面下方向は裏面方向に、図面右方向は長手上方向、図面左方向は長手下方向に対応する。
【００３５】
まず、図４（ａ）に示すように、ワイヤガイド５の第１収容部１６ａおよび第２収容部１６ｂに、ガイドレール３の第１挿通部１３ａおよび第２挿通部１３ｂを挿入する。これにより、ワイヤガイド５のガイドレール嵌合部１８は、ガイドレール３の切欠部１７に嵌合される。この状態で、ワイヤガイド５をガイドレール３に対し、長手上方向へ相対移動させる。この相対移動を行うことで、ワイヤガイド５の延設部５ｂに設けられたフック２０の鍔部２０ｂは、第１保持部１４の押動部１４ａに当接してから乗り上げて行くので、延設部５ｂは、図中に矢印イで示すように、押動部１４ａ上をスライドさせるだけで、押動部１４ａの傾斜に沿って徐々に大きく表面方向に容易に弾性変形する。
【００３６】
更に、ワイヤガイド５をガイドレール３に対し、相対的に長手上方向に移動させる。この際、フック２０は、第１保持部１４を越えた際に、該第１保持部１４と第２保持部１５との隙間に嵌まり込まず第２保持部１５の支持面１５ｂに誘導されて、図４（ｂ）に示すように、当該支持面１５ｂに支持され、仮保持状態となる。これは、図３（ｄ）に示すフック２０の鍔部２０ｂの長さＤが、図２（ｂ）に示す第１保持部１４と第２保持部１５との先端間の所定距離Ａより長いこと（Ｄ＞Ａ）、および、支持面１５ｂのガイドレール３からの突出量が第１保持部１４の押動部１４ａの長手方向上端のガイドレール３からの突出量より段差Ｂ分小さく構成されていることにより行われる。
【００３７】
なお、フック２０が支持面１５ｂに支持された後であっても、延設部５ｂは、弾性変形量が小さくなるものの、支持面１５ｂがガイドレール３から突出していることにより、図中に矢印ロで示すように、依然として表面方向に弾性変形している。
【００３８】
次に、予め一端及び他端が図１に示すキャリアプレート２及び駆動部６内の前記図外のドラムに接続されている下降用ワイヤ８を、図４（ｃ）に示すワイヤガイド５のワイヤ溝１９に掛け回す。この際、ワイヤガイド５と、キャリアプレート２および駆動部６との距離は、近づいた状態となっているので、下降用ワイヤ８の張力を弛緩した状態で作業を行うことができる。
【００３９】
次に、ワイヤガイド５をガイドレール３に対し、相対的に長手下方向に移動させる。この際、図３（ｄ）に示すフック２０の鍔部２０ｂと前記延設部５ｂとの隙間は、図２（ｂ）に示す第１保持部１４の平板部１４ｂの厚みｔ２より十分広い隙間Ｅを有していることに基づき（Ｅ＞＞ｔ２）、延設部５ｂが弾性変形された状態にもかかわらず、平板部１４ｂが鍔部２０ｂと延設部５ｂとの隙間に挿入され、鍔部２０ｂが平板部１４ｂに対し裏面方向側に位置するようになる。すなわち、平板部１４ｂは、フック２０によりフックされた状態となる。
【００４０】
更に、ワイヤガイド５をガイドレール３に対し、相対的に長手下方向に移動させる。この際、図３（ｄ）に示すフック２０の平板部２０ａの厚みｔが、図２（ｂ）に示す第１保持部１４と第２保持部１５との先端間の所定距離Ａより小さいことにより（ｔ＜Ａ）、フック２０は、第２保持部１５を超えて支持面１５ｂによる支持が解除されると共に、図４（ｃ）、図５に示すように、第１保持部１４と第２保持部１５との隙間に嵌まり込み、嵌合され、前記延設部５ｂの弾性変形が解除される。以上により、ガイドレール３とワイヤガイド５との組み付けが完了し、下降用ワイヤ８に張力が付与された状態を維持できるようになる。また、延設部５ｂを弾性変形させた状態でフック２０を支持面１５ｂに支持させた後に、延設部５ｂの弾性変形を解除するようにフック２０を第１保持部１４と第２保持部１５との間に嵌合させることで、延設部５ｂの復元力を利用してフック２０を第１保持部１４と第２保持部１５との間に確実に誘導し嵌合させることができる。
【００４１】
ガイドレール３とワイヤガイド５との組み付けが完了した状態においては、図１に示すように、ワイヤガイド５とキャリアプレート２および駆動部６との距離は、遠ざかった状態となるので、下降用ワイヤ８には張力が付与された状態となる。
【００４２】
更に、図５に示すように、ガイドレール３とワイヤガイド５との組み付け完了状態において、フック２０の平板部２０ａの長手方向上端面と、第２保持部１５の支持面１５ｂの先端面とは、前記平板部２０ａの長さＣが、第１保持部１４の平板部１４ｂと第２保持部１５の支持面１５ｂとのガイドレール３の表面からの突出量の差である段差Ｂより長いことにより（Ｃ＞Ｂ）、対向するとともに、互いに平行な平面となっている。従って、ガイドレール３がワイヤガイド５に対し相対的に長手上方向、即ち下降用ワイヤ８に付与されている張力を弛緩する方向に移動することは防止され、嵌合している状態を確実に維持することができる。
【００４３】
また、上記状態において、フック２０の平板部２０ａの長手方向下端面と、第１保持部１４の平板部１４ｂの先端面とは、互いに平行な平面として対向している。従って、ガイドレール３がワイヤガイド５に対し相対的に長手下方向、即ち下降用ワイヤ８に張力を付与する方向に移動することも防止される。
【００４４】
以上に基づき、ウインドレギュレータ１では、ガイドレール３とワイヤガイド５とを用いて、部品点数を増加させることなく、ワイヤガイド５をガイドレール３に対し相対的に移動させることで、下降用ワイヤ８に張力を付与することができる。さらに、ウインドレギュレータ１では、使用中に、下降用ワイヤ８に付与した張力が弛緩したり、強くなりすぎたりすることも防止することができる。
【００４５】
なお、本実施の形態で示したウインドレギュレータ１は、本発明に係るウインドレギュレータの一態様にすぎず、本発明の要旨を逸脱しない範囲内で種々の変形実施が可能である。
【００４６】
例えば、駆動部６は、延設部５ｂ、ガイドレール収容部１６、ガイドレール嵌合部１８およびフック２０を具備したワイヤガイドを兼用するものとしてもよい。この場合において、駆動部６は、ガイドレール３の長手方向下端にワイヤガイド５に代わり取り付けられ、当該駆動部６をガイドレール３に対し相対移動させることで、下降用ワイヤ８に張力を付与することができる。
【００４７】
また、ガイドレール３の長手方向上端にワイヤガイド挿通部１３、第１保持部１４、第２保持部１５および切欠部１７を設けて、ワイヤガイド４に代わりにワイヤガイド５又は上記延設部５ｂ、ガイドレール収容部１６、ガイドレール嵌合部１８およびフック２０を具備したワイヤガイドを兼用する駆動部６を取り付けるウインドレギュレータとして実施してもよい。この場合には、ワイヤガイド５をガイドレール３に対し相対移動させることで、上昇用ワイヤ７に張力を付与することができる。
【産業上の利用可能性】
【００４８】
本発明に係るウインドレギュレータは、車両用ドアに適用することができる。
【符号の説明】
【００４９】
１  ウインドレギュレータ
２  キャリアプレート
３  ガイドレール
５  ワイヤガイド
５ｂ  延設部
６  駆動部
７  上昇用ワイヤ
８  下降用ワイヤ
１４  第１保持部
１４ａ  押動部
１５  第２保持部
１５ｂ  支持面
１８  ガイドレール嵌合部
１９  ワイヤ溝
２０  フック
【図１】
2012092574.tif 000003
【図２】
2012092574.tif 000004
【図３】
2012092574.tif 000005
【図４】
2012092574.tif 000006
【図５】
2012092574.tif 000007